(57)【要約】【課題】  アクセスする頻度の高い補給作業がスムーズに行うことができて、操作性が向上して補給作業がし易くなり記録画像を形成する画像形成装置を提供する。【解決手段】  搬送される被記録媒体（Ｐ）に画像を形成する作像部１と、作像部で画像を形成する被記録媒体（Ｐ）を収納して給送する被記録媒体収納部２を具備して、被記録媒体収納部を作像部よりも上方の最上位の位置に積層配置する。【選択図】        図１
2007003729.tif 000002
【特許請求の範囲】
【請求項１】
被記録媒体上に画像を形成する作像部と、上記作像部に給送する被記録媒体を収納する被記録媒体収納部と、を備えた画像形成装置において、上記被記録媒体収納部を上記作像部よりも上方に配置したことを特徴とする画像形成装置。
【請求項２】
請求項１に記載の画像形成装置において、上記作像部は、電子写真方式の作像プロセスでトナーの画像を形成することを特徴とする画像形成装置。
【請求項３】
請求項１又は２に記載の画像形成装置において、上記作像部と上記被記録媒体収納部との間に、画像を形成した被記録媒体を排出する被記録媒体排出部を配置したことを特徴とする画像形成装置。
【請求項４】
請求項２又は３に記載の画像形成装置において、上記作像部の上方に、上記作像部を構成する現像手段にトナーを補給するトナー補給部を配置したことを特徴とする画像形成装置。
【請求項５】
請求項４に記載の画像形成装置において、上記トナー補給部を、上記作像部を構成する定着手段から離れた位置に配置したことを特徴とする画像形成装置。
【請求項６】
請求項４又は５に記載の画像形成装置において、トナー補給部は、複数のトナー補給口と、上記トナー補給口に着脱して交換可能な複数のトナーカートリッジを具備することを特徴とする画像形成装置。
【請求項７】
請求項１、２、３、４、５又は６に記載の画像形成装置において、上記被記録媒体収納部は、被記録媒体を上方から補給する開口部を具備することを特徴とする画像形成装置。
【請求項８】
請求項７に記載の画像形成装置において、上記開口部は、開閉蓋部材により開閉されることを特徴とする画像形成装置。
【請求項９】
請求項１、２、３、４、５、６、７又は８に記載の画像形成装置において、上記被記録媒体収納部は、引き出して被記録媒体を上方から補給できる引き出しを具備することを特徴とする画像形成装置。
【請求項１０】
請求項１、２、３、４、５、６、７、８又は９に記載の画像形成装置において、上記被記録媒体収納部は、複数の被記録媒体を収納して一枚毎に分離して給送するための構成を備えることを特徴とする画像形成装置。
【発明の詳細な説明】
【技術分野】
【０００１】
本発明は、搬送される被記録媒体に画像を形成する複写機、ファクシミリ装置、プリンタあるいはこれ等の複合機等の画像形成装置に関する。
【背景技術】
【０００２】
近年の画像形成装置、例えば、オフィス用高速プリンタにおける各構成要素は、上から下方へ向けて排紙部、作像部、給紙部という順序で配置されている。
これは、オフィス用高速プリンタにとって、最もアクセス頻度が多い、プリント後の記録用紙が排紙される排紙部を最上部に配置することにより、装置の操作性を良くする狙いがあった。
このような画像形成装置においては、通常、被記録媒体の補給部は、装置の最も下方に配置されるため、ユーザーが記録用紙を補給するためには、姿勢を低くする必要があった。
Ａ４サイズの５００枚の記録用紙の重量は約１Ｋｇ前後に達するため、原稿や装置から出てきた画像形成済みの記録用紙と比較すると、体積、重量共に格段に大きく、記録用紙の補給はユーザーにとって肉体的に負担がかかる動作である。
記録用紙の補給動作は、原稿置き台、排紙部の次に装置へのアクセス数が多い作業であるため、なるべく負担を軽減することが望ましい。
又、記録用紙の補給方法において、記録用紙補給のための給紙トレイを前面に引き出して用紙を補給する方法が一般的であるが、手前にトレイを引き出すスペースが必要となっていた。
記録用紙の補給の次に、頻度が多いのはトナー補給、プロセスカートリッジの交換と続くため、この順にアクセスしやすくする必要がある。
従来の画像形成装置において、作像部、給紙部、排紙部等を配置する順序については種々提案されている。
例えば、装置本体の枠体を構成する強度部材としての後側板を、作像部、及び、給紙部の後側板とスキャナ部、及び、排紙部の後側板とに分割し、別体として設けるようにして、製造ラインでの作業性低下を防ぐとともに、他機種とのプリンタ部の共用化を可能とする胴内排紙型の画像形成装置は公知である（特許文献１を参照）。
【０００３】
シート収容部より給紙されるシートに画像形成を行うための作像部の作像位置へと搬送するための作像用搬送路を設け、画像形成後に装置外の排出部へと排出処理するように構成された画像形成装置において、上記排出部を画像形成装置の頂部に露出するように設け、該排出部の下部にシート収容部、上記作像部の作像位置へとシートを搬送する作像用搬送路、及び、作像位置を作像用搬送路に位置させるように設けられた作像部を、この順序で積層配置してなり、上記シート収容部と作像用搬送路との間に、シート両面への画像形成のために上記排出部へと排出する排出路に分岐させて設けられ上記作像用搬送路につながる中間搬送路を介在させ、上記シート収容部を画像形成装置本体に対し回動可能に設けて上記中間搬送路を開放可能に設けると共に、該シート収容部側に上記中間搬送路を形成する一方のガイド部材を設けて、該装置が占有する床面積を最小限することができて、また、シート等の補給、ジャムしたシート等の除去等、使用者が直接作業する時の作業性も容易にする画像形成装置が知られている（特許文献２を参照）。
従って、従来の画像形成装置においては、原稿置き台、排紙部の次に装置へのアクセスが多い作業である被記録媒体の記録用紙の補給部、又は、記録用紙の補給部の次に装置へのアクセスが多い作業であるトナーの補給部は、装置の最も下方、或いは最上部よりも下方位置に配置され、ユーザーが記録用紙等を補給するためには、姿勢を低くする必要があって肉体的に負担がかかり、手前にトレイ等を引き出すスペースが必要となると言う不具合が生じていた。
【特許文献１】特開平８−３３９１０８号公報
【特許文献２】特許第３３９８０６４号
【発明の開示】
【発明が解決しようとする課題】
【０００４】
そこで本発明の課題は、このような問題点を解決するものである。即ち、オペレータによってアクセスされる頻度が最も高い給紙部に対する用紙補給作業をスムーズに行うことができて、操作性が向上して補給作業がし易くなる画像形成装置を提供することを目的とする。
【課題を解決するための手段】
【０００５】
上記目的を達成するために、請求項１に記載の本発明は、搬送される被記録媒体に記録画像を形成する画像形成装置において、搬送される被記録媒体に画像を形成する作像部と、上記作像部で画像を形成する被記録媒体を収納して給送する被記録媒体収納部を具備して、上記被記録媒体収納部を上記作像部よりも上方の最上位の位置に積層配置した画像形成装置であることを最も主要な特徴とする。
又は、請求項２に記載の本発明は、請求項１に記載の画像形成装置において、上記作像部は、電子写真方式の作像プロセスでトナーの画像を形成する画像形成装置であることを主要な特徴とする。
又は、請求項３に記載の本発明は、請求項１又は２に記載の画像形成装置において、上記作像部と最上位の位置に積層配置した上記被記録媒体収納部の間に画像を形成した被記録媒体を排出する被記録媒体排出部を積層配置した画像形成装置であることを主要な特徴とする。
又は、請求項４に記載の本発明は、請求項２又は３に記載の画像形成装置において、上記作像部の上方の位置にトナー補給部を積層配置した画像形成装置であることを主要な特徴とする。
又は、請求項５に記載の本発明は、請求項４に記載の画像形成装置において、トナー補給部は、上記作像部の定着手段から離れた位置に配置した画像形成装置であることを主要な特徴とする。
又は、請求項６に記載の本発明は、請求項４又は５に記載の画像形成装置において、トナー補給部は、複数のトナー補給口と、上記トナー補給口に着脱して交換可能な複数のトナーカートリッジを具備する画像形成装置であることを主要な特徴とする。
又は、請求項７に記載の本発明は、請求項１、２、３、４、５又は６に記載の画像形成装置において、上記被記録媒体収納部は、被記録媒体を上方から補給する開口部を具備する画像形成装置であることを主要な特徴とする。
又は、請求項８に記載の本発明は、請求項７に記載の画像形成装置において、上記開口部は、開閉する開閉蓋部材を具備する画像形成装置であることを主要な特徴とする。
又は、請求項９に記載の本発明は、請求項１、２、３、４、５、６、７又は８に記載の画像形成装置において、上記被記録媒体収納部は、引き出して被記録媒体を上方から補給できる引き出しを具備する画像形成装置であることを主要な特徴とする。
又は、請求項１０に記載の本発明は、請求項１、２、３、４、５、６、７、８又は９に記載の画像形成装置において、上記被記録媒体収納部は、複数の被記録媒体を収納して一枚毎に分離して給送する画像形成装置であることを主要な特徴とする。
【発明の効果】
【０００６】
本発明は、以下に説明するように構成されているので、請求項１の発明によれば、アクセスする頻度の高い被記録媒体の補給作業がスムーズに行うことができて、操作性が向上し被記録媒体の補給作業がしやすくなり記録画像を形成する画像形成装置を提供することができるようになった。
請求項２の発明によれば、アクセスする頻度の高い被記録媒体の補給作業がスムーズに行うことができて、操作性が向上し被記録媒体の補給作業がし易くなり高速で、高品質の記録画像を形成する画像形成装置を提供することができるようになった。
請求項３の発明によれば、アクセスする頻度の最も多い被記録媒体排出部の次に、アクセスする頻度の高い、被記録媒体の補給作業が、スムーズに行うことができて、操作性が向上し被記録媒体の補給作業がし易くなり記録画像を形成する画像形成装置を提供することができるようになった。
請求項４の発明によれば、アクセスする頻度の多い上記被記録媒体収納部２の次に、アクセスする頻度の高いトナーの補給作業がスムーズに行うことができて、操作性が向上しトナーの補給作業がし易くなり高速で、高品質の記録画像を形成する上記画像形成装置０を提供することができるようになった。
請求項５の発明によれば、アクセスする頻度の多い上記被記録媒体収納部２の次に、アクセスする頻度の高いトナーの補給作業がスムーズに行うことができて、操作性が向上しトナーの補給作業がし易くなり、トナーの特性が高温のための変化や固着することなく、異常画像や故障の発生を防止して高速で、更に、高品質の記録画像を形成する上記画像形成装置０を提供することができるようになった。
【０００７】
請求項６の発明によれば、アクセスする頻度の多い被記録媒体収納部の次に、アクセスする頻度の高い複数色のトナーの補給作業がスムーズに行うことができて、操作性が向上しトナーの補給作業がし易くなり、トナーの特性が高温のための変化や固着することなく、異常画像や故障の発生を防止して高速で、更に、高品質のカラーの記録画像を形成する画像形成装置を提供することができるようになった。
請求項７の発明によれば、アクセスする頻度の最も多い被記録媒体排出部の次に、アクセスする頻度の高い被記録媒体の補給作業が開口によって上方からスムーズに行うことができるようになり、操作性が向上し被記録媒体の補給作業がし易くなり記録画像を形成する画像形成装置を提供することができるようになった。
請求項８の発明によれば、アクセスする頻度の最も多い被記録媒体排出部の次に、アクセスする頻度の高い被記録媒体の補給作業が開口の開閉によって上方からスムーズに行うことができるようになり、操作性が向上し被記録媒体の補給作業がし易くなり記録画像を形成する画像形成装置を提供することができるようになった。
請求項９の発明によれば、アクセスする頻度の最も多い被記録媒体排出部の次に、アクセスする頻度の高い被記録媒体の記録用紙の補給作業が引き出しによって装置上部のスペースを有効利用しても上方からスムーズに行うことができるようになり、操作性が向上し被記録媒体の補給作業がし易くなり記録画像を形成する画像形成装置を提供することができるようになった。
請求項１０の発明によれば、アクセスする頻度の高い被記録媒体の複数枚の補給作業がスムーズに行うことができて、操作性が向上し被記録媒体の補給作業がし易くなり記録画像を形成する画像形成装置を提供することができるようになった。
【発明を実施するための最良の形態】
【０００８】
次に、本発明の実施の形態を図面を参照して詳細に説明する。
図１は、本発明の実施の形態例を示す画像形成装置０の概略構成を示す縦断面図である。
図１において、搬送される被記録媒体にトナー画像を形成する画像形成装置０は、搬送される被記録媒体にトナー画像を作像する作像部１と、被記録媒体（Ｐ）を収納して給送する被記録媒体収納部２を具備しており、被記録媒体収納部２は作像部１よりも上方の最上位の位置に積層配置されている。
従って、アクセスされる頻度の高い被記録媒体収納部２での被記録媒体の補給作業をスムーズに行うことができて、操作性が向上し被記録媒体の補給作業がし易くなる。
画像形成装置０は、作像部１の各イエロー作像ユニット１（Ｙ）、マゼンタ作像ユニット１（Ｍ）、シアン作像ユニット１（Ｃ）、ブラック作像ユニット１（Ｂｋ）にタンデム型に像担持体１ａ（感光体１ａ１）を配した電子写真記録方式におけるカラープリンタである。
転写手段１ｅ（二次転写手段１ｅ２の二次転写ローラ）の位置では、各イエロー作像ユニット１（Ｙ）、マゼンタ作像ユニット１（Ｍ）、シアン作像ユニット１（Ｃ）、ブラック作像ユニット１（Ｂｋ）の一次転写ローラで駆動ローラ１ａ２１と従動ローラ１ａ２２に張架された中間転写ベルト１ａ２に転写されたトナーの画像を作像部１よりも上方の最上位の位置に積層配置された被記録媒体収納部２から給送されて搬送経路２ｆを図示の矢印（Ａ）方向に搬送される被記録媒体に二次転写が行われる。
作像部１は、電子写真方式の作像プロセスでトナーの記録画像を被記録媒体に高速で、高品質で作像するようになっている。
【０００９】
画像形成装置０は、被記録媒体にトナーの画像を形成する作像部１と、作像部１よりも上方の最上位の位置に積層配置されて被記録媒体を図示の矢印（Ａ）方向に給送する被記録媒体収納部２と、作像部１と最上位の位置に積層配置した被記録媒体収納部２の間に画像を形成した被記録媒体を排出する被記録媒体排出部３を積層配置してなるフルカラーの記録画像を形成するフルカラープリンタである。
従って、アクセスする頻度の最も多い被記録媒体排出部３の次に、アクセスする頻度の高い、被記録媒体の補給作業をスムーズに行うことができて、操作性が向上し被記録媒体の補給作業がし易くなる。
画像形成装置０は、作像部１に、各色の作像ユニット１（Ｙ）、１（Ｍ）、１（Ｃ）、１（Ｂｋ）の４個のプロセスカートリッジが着脱して交換が可能に搭載されて、電子写真方法の作像プロセスで被記録媒体にトナーの記録画像を形成することができる。
作像部１では、像担持体１ａであるベルト状の中間転写体としての中間転写ベルト１ａ２が、所定の走行経路に沿ってエンドレスに各支持ローラの駆動ローラ１ａ２１と従動ローラ１ａ２２に張架されており、駆動ローラ１ａ２１によって図示の矢印（Ｂ）方向へ回転駆動される。
中間転写ベルト１ａ２の下側の走行面に沿って、４つの各作像部に、各色の作像ユニット１（Ｙ）、１（Ｍ）、１（Ｃ）、１（Ｂｋ）が着脱可能に搭載されて配置されている。
４個の各色の作像ユニット１（Ｙ）、１（Ｍ）、１（Ｃ）、１（Ｂｋ）の各作像部では、像担持体１ａの周囲に、像担持体１ａ表面１ａ１１に帯電処理を行う帯電手段１ｂ、画像情報を像担持体１ａの表面にレーザ光で照射する潜像形成手段１ｃ、像担持体１ａ上に露光されて形成された静電潜像を顕像化して現像する現像手段１ｄ、及び、像担持体１ａの表面上に残留するトナーを除去回収するクリーニング手段１ｆの感光体クリーニングユニット１ｆ１が配置されており、作像プロセスとしては、中間転写ベルト１ａ２が、１回転して１つのカラー画像を作像するようになっている。
【００１０】
最初に、イエロー作像ユニット１（Ｙ）の配置された作像部で、現像手段１ｄによってイエロー（Ｙ）色のトナーを現像し、転写手段１ｅの一次転写手段１ｅ１によって中間転写ベルト１ａ２に転写する。
次に、マゼンタ作像ユニット１（Ｍ）の配置された作像部で、現像手段１ｄによってマゼンタ（Ｍ）色のトナーを現像し、転写手段１ｅの一次転写手段１ｅ１によって中間転写ベルト１ａ２に転写する。
次に、シアン作像ユニット１（Ｃ）の配置された作像部で、現像手段１ｄによってシアン（Ｃ）色のトナーを現像し、転写手段１ｅの一次転写手段１ｅ１によって中間転写ベルト１ａ２に転写する。
最後に、ブラック作像ユニット１（Ｂｋ）の配置された作像部で、現像手段１ｄによってブラック（Ｂｋ）色のトナーを現像し、転写手段１ｅの一次転写手段１ｅ１によって中間転写ベルト１ａ２に転写する。
４個の各色の作像ユニット１（Ｙ）、１（Ｍ）、１（Ｃ）、１（Ｂｋ）の作像部が、近接する中間転写ベルト１ａ２の下側走行面とは異なった中間転写ベルト１ａ２の両側の走行面上には、中間転写ベルト１ａ２上に重ね転写された４色のトナーの記録画像を被記録媒体に二次転写する転写手段１ｅの二次転写手段１ｅ２の二次転写ローラと、二次転写後の中間転写ベルト１ａ２表面に残留するトナーを除去回収するクリーニング手段１ｆの中間転写ベルトクリーニングユニット１ｆ２がそれぞれ配置されている。
【００１１】
二次転写手段１ｅ２の二次転写ローラにて、重ねトナーの記録画像の二次転写を受けた被記録媒体を通過させた、図示の矢印（Ａ）方向に搬送される搬送経路２ｆの下流側に、トナーの記録画像を加熱定着の処理をする定着手段１ｇの加熱ローラ１ｇ１と加圧ローラ１ｇ２が配置されている。
そして、定着手段１ｇの加熱ローラ１ｇ１と加圧ローラ１ｇ２を通過した被記録媒体は排紙ローラ１ｈにより被記録媒体排出部３に排紙される。
被記録媒体収納部２においては、未使用の被記録媒体が収容されており、回動可能に支持された底板２ｃが、最上部の被記録媒体をピックアップローラ２ｄが当接可能な位置まで上昇させる。
ピックアップローラ２ｄの回転により、最上部の被記録媒体は、被記録媒体収納部２から一枚毎に分離して送り出され、搬送経路２ｆを図示の矢印（Ａ）方向に搬送されて転写手段１ｅの二次転写手段１ｅ２の二次転写位置へと到達するようになっている。
従って、アクセスする頻度の高い被記録媒体の複数枚の補給作業がスムーズに行うことができて、操作性が向上し被記録媒体の補給作業がし易くなる。
トナー補給部４は、作像部１の上方の位置に積層配置されて、４個の各色の作像ユニット１（Ｙ）、１（Ｍ）、１（Ｃ）、１（Ｂｋ）の各現像手段１ｄにトナー搬送路４ａの各イエロートナー搬送路４ａ（Ｙ）、マゼンタトナー搬送路４ａ（Ｍ）、シアントナー搬送路４ａ（Ｃ）、ブラックトナー搬送路４ａ（Ｂｋ）を搬送して補給されるようになっている。
更に、トナー補給部４は、定着手段１ｇの加熱ローラ１ｇ１と加圧ローラ１ｇ２から離れた位置に配置されている。
従って、アクセスする頻度の多い被記録媒体収納部２の次に、アクセスする頻度の高いトナーの補給作業がスムーズに行うことができて、操作性が向上しトナーの補給作業がし易くなり、トナーの特性が高温のための変化や固着することなく、異常画像や故障の発生を防止して高速で、更に、高品質の記録画像を形成する画像形成装置０を提供することができるようになった。
【００１２】
図２は、本発明の実施の形態例を示す画像形成装置０の主要部の状態を説明する斜視図である。
図２において、画像形成装置０における被記録媒体収納部２は、被記録媒体を上方から補給する開口部２ａを具備している。
更に、開口部２ａは、図示の矢印（Ｃ）方向に開閉する開閉蓋部材２ａ１の開閉によって、被記録媒体を上方から補給することができるようになっている。
従って、アクセスする頻度の最も多い被記録媒体排出部３の次に、アクセスする頻度の高い被記録媒体の補給作業が開口の開閉によって上方からスムーズに行うことができるようになり、操作性が向上し被記録媒体の補給作業がし易くなる。
図３は、本発明の実施の形態例を示す画像形成装置０の主要部の他の状態を説明する斜視図である。
図３において、画像形成装置０における被記録媒体収納部２は、図示の矢印（Ｄ）方向に引き出しても被記録媒体を上方から補給することができる引き出し２ｂを具備している。
従って、アクセスする頻度の最も多い被記録媒体排出部３の次に、アクセスする頻度の高い被記録媒体の補給作業が引き出しによって装置上部のスペースを有効利用しても上方からスムーズに行うことができるようになり、操作性が向上し被記録媒体の補給作業がし易くなる。
画像形成装置０において、トナー補給部４は、複数のトナー補給口４ｂのイエロートナー補給口４ｂ（Ｙ）、マゼンタトナー補給口４ｂ（Ｍ）、シアントナー補給口４ｂ（Ｃ）、ブラックトナー補給口４ｂ（Ｂｋ）と、トナー補給口４ｂの各イエロートナー補給口４ｂ（Ｙ）、マゼンタトナー補給口４ｂ（Ｍ）、シアントナー補給口４ｂ（Ｃ）、ブラックトナー補給口４ｂ（Ｂｋ）に着脱して交換可能な複数のトナーカートリッジ４ｃのイエロートナーカートリッジ４ｃ（Ｙ）、マゼンタトナーカートリッジ４ｃ（Ｍ）、シアントナーカートリッジ４ｃ（Ｃ）、ブラックトナーカートリッジ４ｃ（Ｂｋ）を具備している。
従って、アクセスする頻度の多い被記録媒体収納部２の次に、アクセスする頻度の高い複数色のトナーの補給作業がスムーズに行うことができて、操作性が向上しトナーの補給作業がし易くなり、トナーの特性が高温のための変化や固着することなく、異常画像や故障の発生を防止して高速で、更に、高品質のカラーの記録画像を形成する画像形成装置０を提供することができるようになった。
【図面の簡単な説明】
【００１３】
【図１】本発明の実施の形態例を示す画像形成装置を説明する説明図。
【図２】本発明の実施の形態例を示す画像形成装置の主要部の状態を説明する斜視図。
【図３】本発明の実施の形態例を示す画像形成装置の主要部の他の状態を説明する斜視図。
【符号の説明】
【００１４】
０  画像形成装置
１  作像部、
１（Ｙ）  イエロー作像ユニット、
１（Ｍ）  マゼンタ作像ユニット、
１（Ｃ）  シアン作像ユニット、
１（Ｂｋ）  ブラック作像ユニット、
１ａ  像担持体、
１ａ１  感光体、
１ａ１１  表面、
１ａ２  中間転写ベルト、
１ａ２１  駆動ローラ、
１ａ２２  従動ローラ、
１ｂ  帯電手段、
１ｃ  潜像形成手段、
１ｄ  現像手段、
１ｅ  転写手段、
１ｅ１  一次転写手段、
１ｅ２  二次転写手段、
１ｆ  クリーニング手段、
１ｆ１  感光体クリーニングユニット、
１ｆ２  中間転写ベルトクリーニングユニット、
１ｇ  定着手段、
１ｇ１  加熱ローラ、
１ｇ２  加圧ローラ、
１ｈ  排紙ローラ
２  被記録媒体収納部、
２ａ  開口部、
２ａ１  開閉蓋部材、
２ｂ  引き出し、
２ｃ  底板、
２ｄ  ピックアップローラ、
２ｆ  搬送経路
３  被記録媒体排出部
４  トナー補給部、
４ａ  トナー搬送路、
４ａ（Ｙ）  イエロートナー搬送路、
４ａ（Ｍ）  マゼンタトナー搬送路、
４ａ（Ｃ）  シアントナー搬送路、
４ａ（Ｂｋ）  ブラックトナー搬送路、
４ｂ  トナー補給口、
４ｂ（Ｙ）  イエロートナー補給口、
４ｂ（Ｍ）  マゼンタトナー補給口、
４ｂ（Ｃ）  シアントナー補給口、
４ｂ（Ｂｋ）  ブラックトナー補給口、
４ｃ  トナーカートリッジ、
４ｃ（Ｙ）  イエロートナーカートリッジ、
４ｃ（Ｍ）  マゼンタトナーカートリッジ、
４ｃ（Ｃ）  シアントナーカートリッジ、
４ｃ（Ｂｋ）  ブラックトナーカートリッジ
【図１】
2007003729.tif 000003
【図２】
2007003729.tif 000004
【図３】
2007003729.tif 000005